(57)【要約】【課題】部品点数が少なく、かつ、乾燥剤の収容が容易な包装容器を提供すること。【解決手段】包装容器であって、特定方向に開口する本体側開口部（２０ａ）を有するとともに被収容物を収容可能な形状の容器本体（２０）と、特定方向に開口する蓋側開口部（４０ａ）を有するとともに、この蓋側開口部（４０ａ）が本体側開口部（２０ａ）と対向する姿勢で当該本体側開口部（２０ａ）を塞ぐように容器本体（２０）に着脱可能な蓋部材（３０）とを備え、蓋部材（３０）は、乾燥剤（Ｄ）を保持可能な保持部（４０ｃ）を有し、保持部（４０ｃ）は、蓋側開口部（４０ａ）側から挿入される乾燥剤（Ｄ）を保持可能な形状を有する包装容器。【選択図】図１
2014061932.tif 000002
【特許請求の範囲】
【請求項１】
包装容器であって、
特定方向に開口する本体側開口部を有するとともに被収容物を収容可能な形状の容器本体と、
特定方向に開口する蓋側開口部を有するとともに、この蓋側開口部が前記本体側開口部と対向する姿勢で当該本体側開口部を塞ぐように前記容器本体に着脱可能な蓋部材とを備え、
前記蓋部材は、乾燥剤を保持可能な保持部を有し、
前記保持部は、前記蓋側開口部側から挿入される乾燥剤を保持可能な形状を有する包装容器。
【請求項２】
請求項１に記載の包装容器において、
前記蓋部材は、前記容器本体に着脱可能であるとともに前記被収容物を取り出し可能な取出口と前記保持部とを有する蓋本体と、前記取出口を塞ぐ形状の開閉蓋とを有し、
前記保持部は、前記蓋本体における前記取出口からずれた位置に形成されており、かつ、前記開閉蓋が前記蓋本体から離間して前記取出口が外部に露出した状態において、前記乾燥剤を外部に露出させない形状を有する包装容器。
【請求項３】
請求項２に記載の包装容器において、
前記蓋部材は、前記開閉蓋が前記蓋本体に対して回動可能となるように当該開閉蓋と前記蓋本体とを接続するヒンジ部をさらに有し、
前記蓋本体及び前記開閉蓋は、前記ヒンジ部と接続された側の端部である基端部と、この基端部とは反対側の端部である開閉端部とをそれぞれ有し、
前記開閉蓋は、前記取出口を塞ぐ閉姿勢と、前記取出口を外部に露出させる開姿勢との間で前記ヒンジ部を回動中心として回動可能であり、
前記保持部は、前記蓋本体の基端部と開閉端部とを結ぶ方向において前記取出口よりも当該基端部寄りに形成されている包装容器。
【請求項４】
請求項２又は３に記載の包装容器において、
前記取出口の中心は、前記蓋本体における基端部と開閉端部との中央部よりも前記開閉端部側に偏っている包装容器。
【請求項５】
請求項２ないし４のいずれかに記載の包装容器において、
前記保持部は、前記開閉蓋が前記開姿勢となった状態において、前記乾燥剤と外部との間に介在する介在部と、前記乾燥剤の前記容器本体内への離脱を阻止する離脱阻止部とを有する包装容器。
【請求項６】
請求項５に記載の包装容器において、
前記離脱阻止部は、前記乾燥剤を挟み込む挟持片と、前記挟持片が前記乾燥剤を挟み込んだ状態において当該乾燥剤に下側から当接する当接片とを有する包装容器。
【発明の詳細な説明】
【技術分野】
【０００１】
本発明は、乾燥剤を収容可能な包装容器に関するものである。
【背景技術】
【０００２】
従来、乾燥剤を収容可能な包装容器が知られている。例えば、特許文献１には、被収容物を収容可能な容器本体と、この容器本体の口部に着脱可能であるとともに前記被収容物を取り出し可能な取出口を有する中栓と、前記容器本体に着脱可能であるとともに前記取出口を塞ぐ形状のキャップとを備える包装容器が開示されている。前記中栓は、乾燥剤を保持する保持部を有し、この保持部は、側方に開放する開口部を有する略箱形を呈する。この保持部の開口部は、当該中栓が前記容器本体に装着された状態では、容器本体の内周面と対向している。
【先行技術文献】
【特許文献】
【０００３】
【特許文献１】特開平０７−０９６９６１号公報
【発明の概要】
【発明が解決しようとする課題】
【０００４】
上記特許文献１に記載の包装容器は、乾燥剤を保持するための部材として、容器本体及びキャップとは別体の中栓を必要とするため、部品点数が多いという問題がある。また、この包装容器に乾燥剤を収容するときの作業工数が多いという問題もある。具体的には、この包装容器に乾燥剤を収容するには、容器本体に装着されているキャップを取り外した後に、当該容器本体に装着されている中栓を取り外し、この中栓の保持部に側方から乾燥剤を挿入し、そして、容器本体に対し、中栓、キャップの順に装着するという作業が必要となる。このように、乾燥剤を収容する工程は非常に煩雑であり、また、このような工程の自動化も非常に困難である。
【０００５】
本発明は、上記のような課題を解決するためになされたものであり、部品点数が少なく、かつ、乾燥剤の収容が容易な包装容器を提供することを目的とする。
【課題を解決するための手段】
【０００６】
前記課題を解決するための手段として、本発明は、包装容器であって、特定方向に開口する本体側開口部を有するとともに被収容物を収容可能な形状の容器本体と、特定方向に開口する蓋側開口部を有するとともに、この蓋側開口部が前記本体側開口部と対向する姿勢で当該本体側開口部を塞ぐように前記容器本体に着脱可能な蓋部材とを備え、前記蓋部材は、乾燥剤を保持可能な保持部を有し、前記保持部は、前記蓋側開口部側から挿入される乾燥剤を保持可能な形状を有する包装容器を提供する。
【０００７】
本発明の包装容器によれば、従来のような中栓を省略することができ、かつ、乾燥剤の収容が容易となる。具体的には、本発明の包装容器は、前記容器本体の本体側開口部を塞ぐ形状の蓋部材が、乾燥剤を保持可能な保持部を有しており、この保持部が前記蓋側開口部側から挿入される乾燥剤を保持可能な形状を有するので、従来のような中栓が省略され、しかも、前記蓋側開口部側から乾燥剤を挿入するという簡便な工程で、当該蓋部材への乾燥剤の装着が完了する。よって、本発明の包装容器によれば、部品点数の削減によって製造コスト及び管理コストが低減され、また、製造工程のうち特に乾燥剤を装着する工程が簡素化される。さらに、乾燥剤を、被収容物側に開放して設けることができるため、被収容物に対する乾燥効果を高くすることができる。
【０００８】
この場合において、前記蓋部材は、前記容器本体に着脱可能であるとともに前記被収容物を取り出し可能な取出口と前記保持部とを有する蓋本体と、前記取出口を塞ぐ形状の開閉蓋とを有し、前記保持部は、前記蓋本体における前記取出口からずれた位置に形成されており、かつ、前記開閉蓋が前記蓋本体から離間して前記取出口が外部に露出した状態において、前記乾燥剤を外部に露出させない形状を有することが好ましい。
【０００９】
このようにすれば、前記開閉蓋を前記蓋本体から離間して前記取出口を露出させることで、前記容器本体から前記蓋部材を脱着することなく被収容物の取り出しが可能となる。さらに、前記取出口が外部に露出した状態であっても、前記保持部に保持された乾燥剤は外気にさらされない。よって、乾燥剤のもつ吸湿機能の低下が抑制される。
【００１０】
さらにこの場合において、前記蓋部材は、前記開閉蓋が前記蓋本体に対して回動可能となるように当該開閉蓋と前記蓋本体とを接続するヒンジ部をさらに有し、前記蓋本体及び前記開閉蓋は、前記ヒンジ部と接続された側の端部である基端部と、この基端部とは反対側の端部である開閉端部とをそれぞれ有し、前記開閉蓋は、前記取出口を塞ぐ閉姿勢と、前記取出口を外部に露出させる開姿勢との間で前記ヒンジ部を回動中心として回動可能であり、前記保持部は、前記蓋本体の、基端部と開閉端部とを結ぶ方向において前記取出口よりも当該基端部寄りに形成されていることが好ましい。
【００１１】
このようにすれば、前記開閉蓋を前記開姿勢から前記閉姿勢としたときの衝撃によって生じる振動が、前記保持部に伝わるのが抑制されるので、乾燥剤の容器本体内への脱落が抑制され、さらに、乾燥剤の割れや崩壊を防ぐことができる。具体的には、前記開閉蓋を前記開姿勢から前記閉姿勢とするとき、当該開閉蓋は、前記ヒンジ部を回動中心として回動し、その開閉端部が前記蓋本体の開閉端部と接触する。このときの衝撃によって前記蓋本体の開閉端部近傍に振動が発生するが、前記保持部は、前記蓋本体の基端部と開閉端部とを結ぶ方向において、前記取出口よりも当該基端部寄りに形成されているので、この振動が前記保持部に伝わるのが抑制される。
【００１２】
また、本発明において、前記取出口の中心は、前記蓋本体における基端部と開閉端部との中央部よりも前記開閉端部側に偏っていることが好ましい。
【００１３】
このようにすれば、前記被収容物の取り出し性が向上すると同時に、前記蓋本体に保持部を形成するためのスペースを十分に確保することができる。また、前記蓋本体の開閉端部と前記保持部との間隔を大きくすることができるため、前記蓋本体と前記開閉蓋との接触時の衝撃によって生じる振動が、前記保持部に伝わるのを抑制することができる。
【００１４】
また、本発明において、前記保持部は、前記開閉蓋が前記開姿勢となった状態において、前記乾燥剤と外部との間に介在する介在部と、前記乾燥剤の前記容器本体内への離脱を阻止する離脱阻止部とを有することが好ましい。
【００１５】
このようにすれば、前記介在部が乾燥剤の外気との接触を確実に防止しながら、前記離脱阻止部が乾燥剤を確実に保持することができる。
【００１６】
この場合において、前記離脱阻止部は、前記乾燥剤を挟み込む挟持片と、前記挟持片が前記乾燥剤を挟み込んだ状態において当該乾燥剤に下側から当接する当接片とを有することが好ましい。
【００１７】
このようにすれば、乾燥剤の保持が容易となる。具体的には、前記離脱阻止部は乾燥剤を挟み込む挟持片を有するので、この挟持片に挟み込まれた乾燥剤の位置が確実に固定される。そして、前記離脱阻止部は、前記挟持片に挟み込まれた状態の乾燥剤に下側から当接する当接片を有するので、この乾燥剤が前記挟持片から脱落して下方、すなわち、容器本体内へ落下するといった不具体の発生が抑制される。また、乾燥剤が前記蓋本体に固定されることにより、乾燥剤が当該蓋本体に固定されない場合に比べ、乾燥剤が蓋本体に対して相対変位して蓋本体の一部と接触することにより乾燥剤が割れたり、崩壊したりするといった不具合の発生を防ぐことができる。
【発明の効果】
【００１８】
以上のように、本発明によれば、部品点数が少なく、かつ、乾燥剤の収容が容易な包装容器を提供することができる。
【図面の簡単な説明】
【００１９】
【図１】本発明の一実施形態の包装容器の断面図である。
【図２】図１に示す包装容器の蓋部材の裏面図である。
【図３】図１のＩＩＩ−ＩＩＩ線での断面図である。
【発明を実施するための形態】
【００２０】
本発明の実施形態の包装容器１０について、図１〜図３を参照しながら説明する。図１及び図２は、後述の開閉蓋５０が開姿勢となった状態を示している。
【００２１】
図１に示す包装容器１０は、図示しない被収容物を収容可能な容器本体２０と、この容器本体２０に着脱可能であるとともに乾燥剤Ｄを保持可能な蓋部材３０とを備えている。
【００２２】
容器本体２０は、特定方向（図１では上方）に開口する本体側開口部２０ａを有する。具体的には、容器本体２０は、本体側開口部２０ａを取り囲む形状の内周面を有する周壁２１と、この周壁２１の下端を塞ぐ形状の底壁２２とを有する。容器本体２０の周壁２１における本体側開口部２０ａ側の端部には、蓋部材３０を嵌合可能な嵌合部２１ａが形成されている。容器本体２０の周壁２１は、本体側開口部２０ａ側の端部とこの端部とは反対側の端部とを結ぶ方向（図１の上下方向）に長い形状を有する。また、この容器本体２０は、透明の材料からなる。
【００２３】
蓋部材３０は、本体側開口部２０ａを塞ぐように、容器本体２０に着脱可能な蓋本体４０と、この蓋本体４０に対して開閉される開閉蓋５０と、蓋本体４０と開閉蓋５０とを接続するヒンジ部６０とを有する。この蓋部材３０は、半透明ないし不透明の材料からなる。
【００２４】
蓋本体４０は、周壁４１と、この周壁４１の上端に接続された上壁４２とを有する。周壁４１の下端は、特定方向（図１では下方）に開口する蓋側開口部４０ａを取り囲む形状を有する。この周壁４１の下端には、容器本体２０の嵌合部２１ａに嵌合される被嵌合部４１ａが形成されている。つまり、蓋本体４０は、蓋側開口部４０ａが本体側開口部２０ａと対向する姿勢で当該本体側開口部２０ａを塞ぐように容器本体２０に装着される。このとき、被嵌合部４１ａが嵌合部２１ａに嵌合される。蓋本体４０は、ヒンジ部６０と接続された側（図１では右側）の端部である基端部４１ｂと、この基端部４１ｂとは反対側（図１では左側）の端部である開閉端部４１ｃとを有する。上壁４２は、前記被収容物を取り出し可能な円形の取出口４０ｂを取り囲む内周面を有する。この取出口４０ｂの中心軸Ａ２は、蓋本体４０の基端部４１ｂと開閉端部４１ｃとを結ぶ方向の中央部（中心軸Ａ１）よりも開閉端部４１ｃ側に偏っている。
【００２５】
そして、蓋本体４０は、乾燥剤Ｄを保持する保持部４０ｃを有する。保持部４０ｃは、基端部４１ｂと開閉端部４１ｃとを結ぶ方向（図１の左右方向）において取出口４０ｂよりも基端部４１ｂ寄りに形成されている。この保持部４０ｃの詳細は、後述する。
【００２６】
開閉蓋５０は、取出口４０ｂを塞ぐ形状を有する。具体的には、開閉蓋５０の外形は、蓋本体４０の上壁４２の外形と略同一形状を有する。この開閉蓋５０は、ヒンジ部６０と接続された側の端部である基端部５１ｂと、この基端部５１ｂとは反対側の端部である開閉端部５１ｃとを有する。これにより、開閉蓋５０は、取出口４０ｂを塞ぐ閉姿勢（図１の二点鎖線の姿勢）と、取出口４０ｂを外部に露出させる開姿勢（図１の実線の姿勢）との間でヒンジ部６０を回動中心として回動可能となっている。
【００２７】
ここで、保持部４０ｃについて説明する。
【００２８】
保持部４０ｃは、開閉蓋５０が蓋本体４０から離間した状態、すなわち、開閉蓋５０が前記開姿勢となった状態において、乾燥剤Ｄを外部に露出させない形状を有する。具体的には、本実施形態においては、保持部４０ｃは、蓋本体４０の上壁４２の一部であって、開閉蓋５０が前記開姿勢となった状態において、乾燥剤Ｄと外部との間に介在する介在部４２ａと、乾燥剤Ｄの容器本体２０内への離脱を阻止する離脱阻止部４４とを有する。保持部４０ｃが介在部４２ａを有するので、乾燥剤Ｄは、外部に露出することなく周壁４１と上壁４２とにより囲まれる空間内に位置される。
【００２９】
離脱阻止部４４は、蓋本体４０の上壁４２の一部である介在部４２ａから下方に向かって延びる形状の第一壁４５と、この第一壁４５との間で乾燥剤Ｄを挟持可能な第二壁４６と、第一壁４５と第二壁４６との間に挟み込まれた乾燥剤Ｄに下側（蓋側開口部４０ａ側）から当接する当接片４７とを有する。つまり、第一壁４５及び第二壁４６が「挟持片」を構成する。これら第一壁４５と第二壁４６との間は、両者の間に乾燥剤Ｄが圧入される寸法に設定されることが好ましい。
【００３０】
図１及び図２に示すように、第一壁４５は、蓋本体４０の周壁４１のうち、基端部４１ｂ側から開閉端部４１ｃ側に向かって延びている。この第一壁４５は、図２に示すように、基端部４１ｂと開閉端部４１ｃとを結ぶ方向と直交する方向（図２の上下方向）に離間した位置に形成された一対の壁部からなる。第二壁４６は、介在部４２ａから下方に向かって延びており、第一壁４５と対向する対向面を有する。図３に示すように、この第二壁４６は、その下端部に前記一対の壁部の並び方向（図３の左右方向）に離間した一対の突出部位を有する。当接片４７は、第二壁４６の下端部（突出部位）につながっており、第二壁４６から第一壁４５側に向かって突出する形状を有する。本実施形態では、この当接片４７は、基端部４１ｂと開閉端部４１ｃとを結ぶ方向と直交する方向（図２の上下方向、図３の左右方向）に離間した位置に一対形成されている。このように、当該当接片４７を離間した位置に一対形成することにより、当接片４７が基端部４１ｂと開閉端部４１ｃとを結ぶ方向と直交する方向に連続して延びる形状を有する場合に比べて、乾燥剤Ｄの装着時の、乾燥剤Ｄと当接片４７との接触が低減されて乾燥剤Ｄの挿入が容易となり、かつ、乾燥剤Ｄの欠けや削れを防止することができるため、好ましい。なお、この当接片４７は、省略されてもよい。
【００３１】
次に、乾燥剤Ｄの装着工程を説明する。
【００３２】
まず、容器本体２０の嵌合部２１ａと蓋本体４０の被嵌合部４１ａとの係合を解除することにより、容器本体２０から蓋部材３０を取り外す。そして、蓋本体４０の挟持片、すなわち、第一壁４５と第二壁４６との間に、蓋側開口部４０ａ側から乾燥剤Ｄを挿入する。乾燥剤Ｄは、その蓋側開口部４０ａ側（図３の乾燥剤Dの下側）の部位に、当接片４７が蓋側開口部４０ａ側（図３の乾燥剤Dの下側）から当接する位置まで挿入される。その後、蓋部材３０を再び容器本体２０に取り付けることにより、乾燥剤Ｄの装着が完了する。このように、本実施形態の包装容器１０は、容器本体２０の本体側開口部２０ａを塞ぐ形状の蓋部材３０が、乾燥剤Ｄを保持可能な保持部４０ｃを有しており、この保持部４０ｃが蓋側開口部４０ａ側から挿入される乾燥剤Ｄを保持可能な形状を有するので、従来のような中栓が省略され、しかも、蓋側開口部４０ａ側から乾燥剤Ｄを挿入するという簡便な工程で、当該蓋部材３０への乾燥剤Ｄの装着が完了する。よって、部品点数の削減によって製造コスト及び管理コストが低減され、また、製造工程のうち、特に乾燥剤Ｄを装着する工程が簡素化される。さらに、乾燥剤Ｄは挟持片により挟み込まれるので、この乾燥剤Ｄは、蓋部材３０に対して確実に位置決めがなされた状態で蓋部材３０に固定される。このように乾燥剤Ｄが蓋部材３０に対して固定されることによって、蓋部材３０に対して乾燥剤Ｄが相対変位可能に保持されている場合に比べて、乾燥剤Ｄと蓋本体４０の一部との接触が防止され、乾燥剤Ｄの割れや崩壊が防止される。加えて、乾燥剤Ｄの蓋側開口部４０ａ側（図３の乾燥剤Dの下側）の部位は当接片４７により支えられるので、この乾燥剤Ｄが挟持片から脱落して下方、すなわち、容器本体２０内へ落下するといった不具体の発生が抑制される。
【００３３】
続いて、本実施形態の包装容器１０から被収容物を取り出す工程を説明する。
【００３４】
まず、蓋部材３０の開閉蓋５０を前記閉姿勢（図１の二点鎖線の姿勢）から前記開姿勢（図１の実線の姿勢）とする。具体的には、開閉蓋５０の開閉端部５１ｃを蓋本体４０の開閉端部４１ｃから離れる方向に押し上げることにより、当該開閉蓋５０をヒンジ部６０を回動中心として回動させる。これにより、取出口４０ｂが露出するので、この取出口４０ｂを介して容器本体２０内に収容された被収容物を取り出す。本実施形態の包装容器１０は、この状態、つまり、開閉蓋５０が開姿勢となっている状態において、乾燥剤Ｄと外部との間には介在部４２ａが介在するので、乾燥剤Ｄが直接外気にさらされない。よって、乾燥剤Ｄのもつ吸湿機能の低下が抑制される。さらに、開閉蓋５０を前記開姿勢とした場合であっても、乾燥剤Ｄが外部から見えないので、外観に優れる。また、本実施形態の包装容器１０では、取出口４０ｂの中心軸Ａ２は、蓋本体４０の中心軸Ａ１よりも開閉端部４１ｃ側に偏っているので、前記被収容物の取り出し性の向上と、蓋本体４０に保持部４０ｃを形成するための十分なスペースの確保とが同時に達成される。
【００３５】
容器本体２０内から被収容物を取出した後、開閉蓋５０を前記開姿勢から前記閉姿勢とする。具体的には、開閉蓋５０の開閉端部５１ｃが蓋本体４０の開閉端部４１ｃに近づく方向に向かって、当該開閉蓋５０の開閉端部５１ｃを押し上げることにより、開閉蓋５０の開閉端部５１ｃが蓋本体４０の開閉端部４１ｃに接触するまで、当該開閉蓋５０をヒンジ部６０を回動中心として回動させる。これにより、取出口４０ｂが開閉蓋５０によって閉塞される。このとき、つまり、開閉蓋５０が蓋本体４０に接触したとき、開閉蓋５０の開閉端部５１ｃと蓋本体４０の開閉端部４１ｃとの接触部位においては、特に強い衝撃が発生する。本実施形態の包装容器１０では、保持部４０ｃは、基端部４１ｂと開閉端部４１ｃとを結ぶ方向において、取出口４０ｂよりも基端部４１ｂ寄りに形成されているので、前記衝撃によって生じる振動が保持部４０ｃに伝わるのが抑制される。よって、乾燥剤Ｄの容器本体２０内への脱落や、乾燥剤Ｄの割れや崩壊が抑制される。
【００３６】
なお、今回開示された各実施形態は、すべての点で例示であって、制限的なものではないと考えられるべきである。本発明の範囲は、上記した実施形態の説明ではなく、特許請求の範囲によって示され、さらに特許請求の範囲と均等の意味および範囲内でのすべての変更が含まれる。
【００３７】
例えば、上記実施形態では、蓋部材３０が、蓋本体４０と開閉蓋５０とヒンジ部６０とを有するものを示したが、この蓋部材３０としては、開閉蓋５０及びヒンジ部６０が省略され、かつ、蓋本体４０の取出口４０ｂが閉塞されているものであってもよい。この場合、被収容物の取り出しは、蓋部材３０を容器本体２０から取り外すことにより行われる。
【００３８】
また、上記実施形態では、蓋部材３０が、蓋本体４０と開閉蓋５０とヒンジ部６０とを有するものを示したが、ヒンジ部６０は省略されてもよい。つまり、開閉蓋５０が蓋本体４０に対して分離されることにより、取出口４０ｂが外部に露出する、あるいは、開閉蓋５０が蓋本体４０に対して所定方向にスライドされることにより、取出口４０ｂが外部に露出する構造であってもよい。
【００３９】
また、上記実施形態では、取出口４０ｂの形状は円形であったが、被収容物を取り出せる形状であり、乾燥剤Ｄの保持部４０ｃを設けることができるのであれば、取出口４０ｂの形状はどのような形状でもよく、例えば、多角形や楕円形などでもよい。
【００４０】
また、上記実施形態では、蓋本体４０の基端部４１ｂから開閉端部４１ｃ側に向かって、保持部４０ｃと取出口４０ｂとがこの順に形成された例を示したが、保持部４０ｃは、取出口４０ｂからずれた位置に形成されていればよい。例えば、この保持部４０ｃと取出口４０ｂとは、基端部４１ｂから開閉端部４１ｃ側に向かって先の順とは逆の順に形成されてもよく、また、基端部４１ｂと開閉端部４１ｃとを結ぶ方向と直交する方向に、順不同で形成されていてもよい。
【００４１】
また、上記実施形態では、取出口４０ｂの中心軸Ａ２は、蓋本体４０の中心軸Ａ１よりも開閉端部４１ｃ側に偏っている例を示したが、この取出口４０ｂの中心軸Ａ２は、蓋本体４０の中心軸Ａ１よりも基端部４１ｂ側に偏っていてもよく、また、両中心軸Ａ１，Ａ２は、一致していてもよい。
【００４２】
また、上記実施形態では、ヒンジ部６０が蓋本体４０の基端部４１ｂと開閉蓋５０の基端部５１ｂとの間を接続する例を示したが、ヒンジ部６０の接続箇所はこの部位に限られない。例えば、ヒンジ部６０は、蓋本体４０の上壁４２のうち第二壁４６との接続部（取出口４０ｂから僅かに基端部４１ｂ側にずれた部位）と開閉蓋５０との間を接続してもよい。この場合、その接続部を基準として、基端部４１ｂ側に保持部４０ｃが、開閉端部４１ｃ側に取出口４０ｂがそれぞれ設けられる。
【００４３】
また、上記実施形態では、離脱阻止部４４は、第一壁４５および第二壁４６を含む例を示したが、蓋側開口部４０ａ側から乾燥剤Ｄを挿入し、保持することができるのであれば、離脱阻止部４４の形状は特に限定されるものではなく、例えば、第一壁４５を設けず、第二壁４６と周壁４１により、乾燥剤Ｄを保持してもよい。ただし、第二壁４５と周壁４１により乾燥剤Ｄを保持する場合に比べて、第一壁４５および第二壁４６により乾燥剤Ｄを保持する場合の方が、乾燥剤Ｄと周壁４１との接触面積が低減されることで、乾燥剤Ｄの挿入が容易となり、かつ乾燥剤Ｄの欠けや削れを防止することができるため好ましい。
【００４４】
また、上記実施形態では、離脱阻止部４４は、蓋本体４０の上壁４２の一部である介在部４２ａから下方に向かって形成されていたが、蓋側開口部４０ａ側から乾燥剤Ｄを挿入することができるのであれば、介在部４２ａは周壁４１の一部であってもよく、離脱阻止部４４は、周壁４１から突出して設けられていてもよい。
【００４５】
また、上記実施形態では、第一壁４５は、図２に示すように、基端部４１ｂと開閉端部４１ｃとを結ぶ方向と直交する方向（図２の上下方向）に離間した位置に形成された一対の壁部からなるが、乾燥剤Ｄを保持できるのであれば、第一壁４５の形状は特に限定されるものではなく、例えば、第一壁４５は、３以上の壁部から形成されていてもよく、第二壁４６と対向する対向面を有していてもよい。ただし、乾燥剤Ｄと第一壁４５との接触面積を減らすことで乾燥剤Ｄの挿入が容易となり、かつ、その挿入時の乾燥剤Ｄの欠けや削れを防止することができ、さらに、その挿入後は当該乾燥剤Ｄを十分に保持することができるという観点から、この第一壁４５は、複数の壁部からなることが好ましい。
【００４６】
また、上記実施形態においては、第二壁４６は、介在部４２ａから下方に向かって延びており、第一壁４５と対向する対向面を有しているが、第二壁４６の形状は、乾燥剤Ｄを保持できるのであれば特に限定されるものではなく、例えば、介在部４２ａから下方に向かって延びる、棒形状でもよい。また、この第二壁４６は、その下端部に１対の突出部位を有するが、当該下端部の形状は特に限定されるものではなく、当該突出部位は省略されてもよいし、３以上設けられてもよい。
【００４７】
また、上記実施形態においては、当接片４７は、基端部４１ｂと開閉端部４１ｃとを結ぶ方向と直交する方向（図２の上下方向、図３の左右方向）に離間した位置に一対形成された例を示したが、乾燥剤Ｄを保持でき、乾燥剤Ｄの蓋側開口部４０ａ側（図３の乾燥剤Dの下側）の部位に当接片４７が当接するのであれば、この当接片４７は、第二壁４６の少なくとも一部に設けられていればよく、例えば、基端部４１ｂと開閉端部４１ｃとを結ぶ方向と直交する方向に連続して延びる形状とされていてもよい。また、同様の当接片４７は、第一壁４５に設けられていてもよい。
【符号の説明】
【００４８】
１０    包装容器
２０    容器本体
２０ａ  本体側開口部
２１    周壁
２１ａ  嵌合部
２２    底壁
３０    蓋部材
４０    蓋本体
４０ａ  蓋側開口部
４０ｂ  取出口
４０ｃ  保持部
４１    周壁
４１ａ  被嵌合部
４１ｂ  基端部
４１ｃ  開閉端部
４２    上壁
４２ａ  介在部
４４    離脱阻止部
４５    第一壁（挟持片）
４６    第二壁（挟持片）
４７    当接片
５０    開閉蓋
５１ｂ  基端部
５１ｃ  開閉端部
６０    ヒンジ部
Ａ１    蓋本体の中心軸
Ａ２    取出口の中心軸
Ｄ      乾燥剤
【図１】
2014061932.tif 000003
【図２】
2014061932.tif 000004
【図３】
2014061932.tif 000005